(57)【特許請求の範囲】
【請求項１】
上半部が略円筒部で、この略円筒部に連続する下半部の一部が略円筒部より短い直径の略長円筒部とした医用スプレーを、診察台のスプレー位置修正リングに差し込み保持する医用スプレーの保持装置において、前記スプレー位置修正リングは、内壁上半部を前記略円筒部が遊嵌する略円形部とし、この略円形部に連続する下半部の一部が略円形部の径より短い略長円形部としたことを特徴とする医用スプレーの保持装置。
【請求項２】
医用スプレーを収納した薬液スプレーかごの上半部が略円筒部で、この略円筒部に連続する下半部の一部が略円筒部より短い直径の略長円筒部とした医用スプレーを、診察台のスプレー位置修正リングに差し込み保持する医用スプレーの保持装置において、前記スプレー位置修正リングは、内壁上半部を前記略円筒部が遊嵌する略円形部とし、この略円形部に連続する下半部の一部が略円形部の径より短い略長円形部としたことを特徴とする医用スプレーの保持装置。
【請求項３】
スプレー位置修正リングにおける上半部の略円形部に連続する下半部の一部がテーパーを持って順次短径としたことを特徴とする請求項１又は２記載の医用スプレーの保持装置。
【請求項４】
スプレー位置修正リングは、診察台のリング嵌合孔に嵌合され、このリング嵌合孔の内壁に位置合わせ切り欠きを形成し、スプレー位置修正リングに位置合わせピンを設け、この位置合わせピンを前記位置合わせ切り欠きに嵌合して医用スプレーの位置決めをするようにしたことを特徴とする請求項１、２又は３記載の医用スプレーの保持装置。
【請求項５】
スプレー位置修正リングの略長円形部に位置修正ガイド部を設け、この位置修正ガイド部に接しつつ下降する薬液スプレーかごの短径部を案内して薬液スプレーかごを所定方向に位置修正するガイド線を有することを特徴とする請求項３記載の医用スプレーの保持装置。
【発明の詳細な説明】
【技術分野】
【０００１】
本発明は、薬液を耳、鼻、咽喉等に噴霧するときに用いられる医用スプレーを、診察台に所定方向へ向けて保持するための医用スプレーの保持装置に関するものである。
【背景技術】
【０００２】
従来より医用スプレーには、ホース型医用スプレーと、ホースレス型医用スプレーが知られている。
このうち、ホース型医用スプレーは、診察台の内部のコンプレッサに連結されたホースを医用スプレーに連結し、このホース型医用スプレーのスプレーかご部分を手に持って診察台のスプレー保持リングから引き出し、ノズルを患部に臨ませ、弁操作釦を操作することによって内部の弁を開閉し、薬液びんの薬液や洗浄水などをノズルから噴射するものである。
【０００３】
また、ホースレス型医用スプレーは、手で持つグリップ部分に小型ボンベを内蔵し、グリップ部分を診察台の畜圧器に差し込むと、弁部が開いて小型ボンベに診察台の内部のコンプレッサからの圧搾空気を充填し、この医用スプレーを手に持って診察台から取り出し、ノズルを患部に臨ませ、弁操作釦を操作することによって内部の弁を開閉し、薬液びんの薬液や洗浄水をノズルから噴射するものである。
【０００４】
これらのホース型医用スプレー１５は、図７に示すように、診察台１７のスプレー保持リング１６に１〜複数本を差込み保持し、選択的に１本ずつ引き出して使用する（特許文献１）。
【先行技術文献】
【特許文献】
【０００５】
【特許文献１】特開平８−２８０８０６号公報。
【発明の概要】
【発明が解決しようとする課題】
【０００６】
ホース型医用スプレー１５は、薬液びん１２に薬液スプレーかご１４を下から嵌め込んで構成されるが、医師は、このホース型医用スプレー１５を診察台１７のスプレー保持リング１６から引き出して患者の治療をし、治療後にスプレー保持リング１６に差し込み収納する。このとき、ノズル１３が長いため、他のスプレー保持リング１６に予め差し込んである医用スプレー１５のノズル１３と接触したり、診察台１７の上の他の機器に接触したりして、消毒済みの他の医用スプレー１５等を汚染したり、医用スプレー１５同士が絡まって円滑な作業ができなくなるなどの恐れがあるという問題があった。ホースレス型医用スプレーであっても同様である。
【０００７】
本発明は、このような問題点を解決するために、医用スプレーをスプレー保持リングに差し込む方向が一定しなくても、医用スプレーの自重による嵌合時にノズルの向きを修正して常に設定された方向に嵌合保持されるようにしたものを提供することを目的とする。
【課題を解決するための手段】
【０００８】
本発明による医用スプレーの保持装置は、上半部が略円筒部２４で、この略円筒部２４に連続する下半部の一部が略円筒部２４より短い直径の略長円筒部２５とした医用スプレー１５を、診察台１７のスプレー位置修正リング３２に差し込み保持する医用スプレーの保持装置において、前記スプレー位置修正リング３２は、内壁上半部を前記略円筒部２４が遊嵌する略円形部３６とし、この略円形部３６に連続する下半部の一部が略円形部３６の径より短い略長円形部３７とする。
【０００９】
医用スプレー１５を直接スプレー位置修正リング３２に差し込み保持する場合の他、医用スプレー１５を収納した薬液スプレーかご１４をスプレー位置修正リング３２に差し込み保持する場合であってもよい。
【００１０】
スプレー位置修正リング３２は、診察台１７のリング嵌合孔３４に嵌合され、このリング嵌合孔３４の内壁に位置合わせ切り欠き３８を形成し、
スプレー位置修正リング３２に位置合わせピン３９を設け、この位置合わせピン３９を前記位置合わせ切り欠き３８に嵌合して医用スプレーの位置決めをする。
【発明の効果】
【００１１】
請求項１記載の発明によれば、上半部が略円筒部で、この略円筒部に連続する下半部の一部が略円筒部より短い直径の略長円筒部とした医用スプレーを、診察台のスプレー位置修正リングに差し込み保持する医用スプレーの保持装置において、前記スプレー位置修正リングは、内壁上半部を前記略円筒部が遊嵌する略円形部とし、この略円形部に連続する下半部の一部が略円形部の径より短い略長円形部としたので、１ないし複数の医用スプレーを、診察台の個々のスプレー位置修正リングに差し込むだけで、常に所定―の方向に向けて保持することができる。また、スプレー位置修正リングの内壁の形状を変えるだけであるから安価に提供できる。
【００１２】
請求項２記載の発明によれば、医用スプレーを収納した薬液スプレーかごの上半部が略円筒部で、この略円筒部に連続する下半部の一部が略円筒部より短い直径の略長円筒部とした医用スプレーを、診察台のスプレー位置修正リングに差し込み保持する医用スプレーの保持装置において、前記スプレー位置修正リングは、内壁上半部を前記略円筒部が遊嵌する略円形部とし、この略円形部に連続する下半部の一部が略円形部の径より短い略長円形部としたので、医用スプレーを収納した薬液スプレーかごの場合も同様に常に所定―の方向に向けて保持することができる。
【００１３】
請求項３記載の発明によれば、スプレー位置修正リングにおける上半部の略円形部に連続する下半部の一部がテーパーを持って順次短径としたので、医用スプレー及び／又は薬液スプレーかごの自重による嵌合時にノズルの向きを自然に修正される。
【００１４】
請求項４記載の発明によれば、スプレー位置修正リングは、診察台のリング嵌合孔に嵌合され、このリング嵌合孔の内壁に位置合わせ切り欠きを形成し、スプレー位置修正リングに位置合わせピンを設け、この位置合わせピンを前記位置合わせ切り欠きに嵌合して医用スプレーの位置決めをするようにしたので、医用スプレー及び／又は薬液スプレーかごを使用目的に応じていずれの方向にも設定することができる。
【００１５】
請求項５記載の発明によれば、スプレー位置修正リングの略長円形部に位置修正ガイド部を設け、この位置修正ガイド部に接しつつ下降する薬液スプレーかごの短径部を案内して薬液スプレーかごを所定方向に位置修正するガイド線を有するので、医用スプレー及び／又は薬液スプレーかごの方向の修正を円滑な動きで修正することができる。
【図面の簡単な説明】
【００１６】
【図１】本発明による医用スプレーの保持装置の一実施例を示すもので、医用スプレー１５と薬液スプレーかご１４を分離した状態の一部切り欠いた正面図図である。
【図２】（ａ）は、薬液スプレーかご１４に医用スプレー１５を嵌合した状態の要部の正面図、（ｂ）は、同左側面図である。
【図３】（ａ）は、本発明のスプレー位置修正リング３２の平面図、（ｂ）は、Ａ−Ａ線断面図、（ｃ）は、Ｂ−Ｂ線断面図、（ｄ）は、Ａ−Ａ線断面斜視図である。
【図４】（ａ）は、図２におけるＣ−Ｃ線断面図、（ｂ）は、同Ｄ−Ｄ線断面図、（ｃ）同Ｅ−Ｅ線断面図である。また、（ｄ）は、同Ｃ−Ｃ線断面図、（ｅ）は、同Ｄ−Ｄ線断面図、（ｆ）同Ｅ−Ｅ線断面図である。
【図５】（ａ）は、図３（ｂ）におけるＧ−Ｇ線断面図、（ｂ）は、同Ｈ−Ｈ線断面図、（ｃ）は、同Ｉ−Ｉ線断面図である。
【図６】診察台１７に３個のリング嵌合孔３４を穿設した平面図である。
【図７】従来のスプレー保持リング１６に医用スプレー１５を収納した状態の平面図である。
【発明を実施するための形態】
【００１７】
本発明は、医用スプレー１５を収納した薬液スプレーかご１４を、スプレー保持リングに差し込む方向が一定しなくても、医用スプレーの自重による嵌合時にノズルの向きを修正して常に設定された方向に嵌合保持されるようにしたものである。
また、薬液スプレーかご１４なしで医用スプレー１５を直接スプレー保持リングに差し込むものであってもよい。
【００１８】
前記スプレー位置修正リング３２は、内壁上半部を前記略円筒部２４が遊嵌する略円形部３６とし、この略円形部３６に連続する下半部の一部が略円形部３６の径より短い略長円形部３７とする。
【００１９】
スプレー位置修正リング３２における上半部の略円形部３６に連続する下半部の一部がテーパーを持って順次短径とすることが望ましい。
【００２０】
スプレー位置修正リング３２は、診察台１７のリング嵌合孔３４に嵌合され、このリング嵌合孔３４の内壁に位置合わせ切り欠き３８を形成し、
スプレー位置修正リング３２に位置合わせピン３９を設け、この位置合わせピン３９を前記位置合わせ切り欠き３８に嵌合して医用スプレーの位置決めをする。
【実施例１】
【００２１】
以下、本発明の実施例１を図面に基づき説明する。
図１において、医用スプレー１５は、スプレー本体１１と薬液びん１２とノズル１３とからなる。前記スプレー本体１１の下部には、ねじ込み筒部１８と吸い上げ管２２が設けられ、薬剤、消毒剤、洗浄水等の薬液を入れた薬液びん１２が、ねじ込み結合される。スプレー本体１１の先端には、薬液を噴射するノズル１３が設けられる。また、スプレー本体１１の側部には、弁部１９が設けられ、この弁部１９には、側部に弁操作部２０が、下部に連結管部２１が設けられる。
【００２２】
薬液スプレーかご１４は、前記医用スプレー１５を収納し、医師等の術者が握りとするもので、この薬液スプレーかご１４の上端部は、中央部に前記薬液びん１２が挿入される孔の空いたフランジ２３であり、このフランジ２３の下方に４本の細板状が伸び、途中から２本につながりながら逆円錐形となり、最下端部が筒状になっている。これらの細板の隙間が、残液確認窓２６となっている。
【００２３】
前記フランジ２３の上面端部には、前記医用スプレー１５の連結管部２１と着脱自在に連結する着脱コネクタ２８が設けられ、この着脱コネクタ２８の下端部から前記薬液スプレーかご１４の外周に沿って下端部までエア供給管２７が設けられている。
前記薬液スプレーかご１４の下端部には、エアホース３０が嵌め込まれ、屈曲防止ばね３１と袋ナット２９で固定的に連結され、前記エア供給管２７に連通している。
そして、フランジ２３の下から４本の細板が２本につながる位置までの略半分の位置までは、図４（ａ）（ｂ）に示すように包絡線が略円筒部２４を形成し、この略円筒部２４の下方部は、残液確認窓２６が開口されているので図４（ｃ）に示すように包絡線が略長円筒部２５となる。
【００２４】
診察台１７には、図６に示すように、１ないし複数個のリング嵌合孔３４が所定間隔で穿設されている。このリング嵌合孔３４は、後述するスプレー位置修正リング３２の筒部４２を嵌合する大きさで、内周面には、診察台１７の縁の線に対する垂直線から所定角度α（例えば３０度）だけ進んだ位置に位置合わせ切り欠き３８が設けられている。この位置合わせ切り欠き３８は、垂直線上に設けた位置合わせ切り欠き３８ａであってもよいし、垂直線から所定角度α（例えば３０度）だけ遅れた位置に設けた位置合わせ切り欠き３８ｂであってもよく、医師その他の術者の使い勝手の良さで適宜設定される。
【００２５】
スプレー位置修正リング３２は、前記診察台１７のリング嵌合孔３４に嵌められて薬液スプレーかご１４の嵌合位置ずれを修正しつつ嵌合するもので、図３に示すように、つば部４１とその下方に続く筒部４２とからなり、この筒部４２の外周には、ナット３３が螺合されて診察台１７の天板に固定される。前記つば部４１の上面全周囲にクッションリング４０が嵌め込まれ、このつば部４１の下面に前記位置合わせ切り欠き３８に嵌合する位置合わせピン３９が設けられている。
【００２６】
このスプレー位置修正リング３２の最も特徴的な構成は、筒部４２の内壁部分の略上半部が略円形部３６をなし、略下半部が略長円形部３７をなしていることである。さらに詳しくは、前記略円形部３６は、図４（ａ）（ｂ）における包絡線の略円筒部２４が嵌合するように形成され、前記略長円形部３７は、図３（Ｇ）部分から下方に向かって包絡線の前記略長円筒部２５が嵌合するように次第に略長円形になっている。この略長円形部３７には、略円形部３６の下端部から略長円形部３７の下端部まで、円弧状にえぐられ、略円形部３６の下端部から略長円形部３７の下端部の中央部分に収束するガイド線４３を形成している。
【００２７】
以上のように構成された医用スプレーの保持装置の作用を説明する。
図１において、診察台１７のリング嵌合孔３４に嵌め込まれたスプレー位置修正リング３２から診察台１７の内部のコンプレッサに結合されたエアホース３０を引き出し、薬液スプレーかご１４の下端部に嵌め込み、袋ナット２９で固定する。
医用スプレー１５は、スプレー本体１１のねじ込み筒部１８に薬液を充填した薬液びん１２ねじ込み固着し、薬液びん１２を薬液スプレーかご１４の中に嵌合し、かつ、医用スプレー１５の連結管部２１を薬液スプレーかご１４の着脱コネクタ２８にて連結する。
【００２８】
薬液スプレーかご１４に医用スプレー１５を嵌合固着した状態で術者は、薬液スプレーかご１４を握り、ノズル１３を患部に近づけて弁操作部２０を押すと弁部１９が開いて、エアホース３０からエア供給管２７、着脱コネクタ２８、連結管部２１、弁部１９を経て圧搾空気が送られてきてノズル１３側と薬液びん１２側へエアを送る。薬液びん１２へ送られたエアで薬液が吸い上げ管２２からスプレー本体１１を経てノズル１３に送られ、薬剤、消毒剤、洗浄水等が噴射される。
【００２９】
患部の処置が終了すると、医用スプレー１５を嵌合固着した薬液スプレーかご１４を下方端部からスプレー位置修正リング３２に嵌合する。薬液スプレーかご１４は、下端側が小径の逆円錐筒形をなし、途中が図４（ｃ）のように短径と長径の包絡線の略長円筒部２５である。また、スプレー位置修正リング３２の内側上端部の略円形部３６は、長径の略円筒形である。そのため、薬液スプレーかご１４の下方部の外形の包絡線が略長円筒部２５は、挿入されるどの向きであっても挿入される。しかし、薬液スプレーかご１４の略長円筒部２５が略円形部３６の下方の略長円形部３７に達すると、略長円筒部２５の長径部分が略長円形部３７の位置修正ガイド部３５に接触する。この長径部分が位置修正ガイド部３５に接触すると、長径部分は、略長円形部３７から略円形部３６へ逃れて薬液スプレーかご１４の短径部が位置修正ガイド部３５のガイド線４３に沿って誘導され、薬液スプレーかご１４は、一定向きに修正されてスプレー位置修正リング３２内に保持される。
【００３０】
図６に実線で示すように、リング嵌合孔３４の位置合わせ切り欠き３８を垂直線に対しα度だけ進めた位置に設けてスプレー位置修正リング３２の位置合わせピン３９を嵌め込むと、全ての薬液スプレーかご１４が同一方向に向くので、従来のようにノズル１３同士が接触したりすることがない。
術者が右利きの場合には、α度だけ進めた位置にすれば、医用スプレー１５を嵌合固着した薬液スプレーかご１４の引き出し、差込みの操作性に優れている。逆に術者が左利きの場合には、β度だけ遅らせた位置に全て位置合わせ切り欠き３８ｂの向きにすることもできる。
また、ノズル１３の先端を互いに遠くするために、図６の左側を位置合わせ切り欠き３８とし、中央を位置合わせ切り欠き３８ａとし、右側を位置合わせ切り欠き３８ｂとすることもできる。
その他、位置合わせ切り欠き３８を多数形成して任意の角度に設定することができる。
【００３１】
前記実施例では、薬液スプレーかご１４がフランジ２３の下に続く４本の細長い板状で構成したが、図４（ｄ）（ｅ）（ｆ）に示すように、全体を円錐形の筒状とし、途中に残液確認窓２６を穿設することで、薬液スプレーかご１４の途中に略長円筒部２５となるように構成したものであってもよい。
【００３２】
前記実施例では、薬液スプレーかご１４にエアホース３０を連結したホース型医用スプレーの場合について説明したが、ホースレス型医用スプレーであってもよい。
また、医用スプレー１５を薬液スプレーかご１４に嵌合してスプレー位置修正リング３２に嵌め込むようにしたが、医用スプレー１５を直接スプレー位置修正リング３２に嵌め込むタイプであってもよい。この場合、医用スプレー１５のスプレー位置修正リング３２に嵌め込む部分が上部から下部へ次第に径が小さくなり、かつ、上部の包絡線が略円形で途中の包絡線が略長円形であればよい。
【符号の説明】
【００３３】
１０…医用スプレー、１１…スプレー本体、１２…薬液びん、１３…ノズル、１４…薬液スプレーかご、１５…医用スプレー、１６…スプレー保持リング、１７…診察台、１８…ねじ込み筒部、１９…弁部、２０…弁操作部、２１…連結管部、２２…吸い上げ管、２３…フランジ、２４…略円筒部、２５…略長円筒部、２６…残液確認窓、２７…エア供給管、２８…着脱コネクタ、２９…袋ナット、３０…エアホース、３１…屈曲防止ばね、３２…スプレー位置修正リング、３３…ナット、３４…リング嵌合孔、３５…位置修正ガイド部、３６…略円形部、３７…略長円形部、３８…位置合わせ切り欠き、３９…位置合わせピン、４０…クッションリング、４１…つば部、４２…筒部、４３…ガイド線。
【要約】
【課題】医用スプレーをスプレー保持リングに差し込む方向が一定しなくても、嵌合時にノズルの向きを修正して常に設定された方向に嵌合保持されるようにしたものを提供すること。
【解決手段】上半部が略円筒部２４で、連続する下半部の一部が略円筒部２４より短い直径の略長円筒部２５とした医用スプレー１５を、診察台１７のスプレー位置修正リング３２に差し込み保持する医用スプレーの保持装置において、前記スプレー位置修正リング３２は、内壁上半部を前記略円筒部２４が遊嵌する略円形部３６とし、この略円形部３６に連続する下半部の一部が略円形部３６の径より短い略長円形部３７とする。医用スプレー１５を収納した薬液スプレーかご１４をスプレー位置修正リング３２に差し込み保持する場合であってもよい。
【選択図】図１【図１】
0005487356.tif 000002
【図２】
0005487356.tif 000003
【図３】
0005487356.tif 000004
【図４】
0005487356.tif 000005
【図５】
0005487356.tif 000006
【図６】
0005487356.tif 000007
【図７】
0005487356.tif 000008